(57)【要約】【課題】ストロボコンデンサに蓄積された電力の電源オフ時における有効活用を適切に図ることを実現した電源装置を提供する。【解決手段】このカメラは、ストロボ発光用の電力を蓄積するためのストロボ用コンデンサ１８と、電源部１２からの電力を昇圧するための昇圧／降圧回路１９が設けられ、制御部１０は、ストロボ発光を伴う撮影をいつでも速やかに行えるよう、ストロボ用コンデンサ１８を常時ほぼ満充電の状態に保つように制御する。そして、制御部１０は、操作スイッチ１１により電源オフが指示されると、例えば沈胴レンズの収納位置への移動を鏡枠駆動部１３に指示したり、ＬＣＤの正規手順での停止を画像表示部１５に指示する等の終了処理を実行するが、この時の電力として、（何らの手当もしなければいずれ自然放電してしまう）ストロボ用コンデンサ１８に蓄積された電力を転用する。【選択図】      図１
2005043664.tif 000002
【特許請求の範囲】
【請求項１】
各部に動作用の電力を供給する第１の電力供給手段と、
前記第１の電力供給手段からの電力で充電されるストロボ発光用のストロボコンデンサと、
前記ストロボコンデンサに蓄積された電力を降圧して各部に動作用の電力として供給する第２の電力供給手段と、
通常時には、前記第１の電力供給手段から各部に電力が供給され、電源オフ時には、前記第２の電力供給手段から各部に電力が供給されるように選択を行うための選択手段と
を具備することを特徴とする電源装置。
【請求項２】
前記選択手段は、電源オフ時、前記第１の電力供給手段および前記第２の電力供給手段のうち、それぞれから供給される電力の電圧値の高い方を選択することを特徴とする請求項１記載の電源装置。
【請求項３】
前記ストロボコンデンサに蓄積させる電力を生成するために前記第１の電力供給手段から供給される電力を昇圧する昇圧手段をさらに具備し、
前記第２の電力供給手段は、前記昇圧手段を用いて、前記ストロボコンデンサに蓄積された電力の降圧を行うことを特徴とする請求項１記載の電源装置。
【請求項４】
前記第２の電力供給手段は、前記ストロボコンデンサに蓄積された電力の電圧値が前記第１の電力供給手段から供給される電力の電圧値を下回っている場合、前記ストロボコンデンサに蓄積された電力の降圧を停止することを特徴とする請求項１、２または３記載の電源装置。
【請求項５】
前記第２の電力供給手段は、前記ストロボコンデンサに蓄積された電力の電圧値が前記第１の電力供給手段から供給される電力の電圧値を上回っている間は、前記ストロボコンデンサに蓄積された電力を降圧し、前記ストロボコンデンサに蓄積された電力の電圧値が前記第１の電力供給手段から供給される電力の電圧値を下回った後は、前記ストロボコンデンサに蓄積された電力を昇圧することを特徴とする請求項１、２または３記載の電源装置。
【請求項６】
外部接続される電源からの電力を入力して各部に供給する第３の電力供給手段をさらに具備し、
前記選択手段は、前記第３の電力供給手段から各部に電力が供給されている場合には、電源オフ時においても、前記第３の電力供給手段から各部に電力が供給されるように選択を行うことを特徴とする請求項１、２、３、４または５記載の電源装置。
【請求項７】
前記第２の電力供給手段は、前記第１の電力供給手段が供給する電力よりも高い電圧値となるように、前記ストロボコンデンサに蓄積された電力を降圧することを特徴とする請求項３記載の電源装置。
【請求項８】
メモリの内容を保持するための繰り返し充放電可能なバックアップ電源と、
ストロボ発光用のストロボコンデンサと、
前記ストロボコンデンサに蓄積された電力を降圧して前記バックアップ電源に蓄積する充電手段と、
電源オフが指示されてから所定時間が経過した後、前記バックアップ電源の充電を開始するように前記充電手段を制御する制御手段と
を具備することを特徴とする電源装置。
【請求項９】
前記制御手段は、前記ストロボコンデンサに蓄積された電力の電圧値が前記バックアップ電源に蓄積された電力の電圧値よりも下回っている場合、前記バックアップ電源の充電を停止するように前記充電手段を制御することを特徴とする請求項８記載の電源装置。
【請求項１０】
前記制御手段は、前記バックアップ電源が満充電状態となった場合、前記バックアップ電源の充電を停止するように前記充電手段を制御することを特徴とする請求項８または９記載の電源装置。
【請求項１１】
前記制御手段は、電源オフ後、前記バックアップ電源に蓄積された電力の電圧値が低下した場合に、前記バックアップ電源の充電を再開するように前記充電手段を制御することを特徴とする請求項１０記載の電源装置。
【発明の詳細な説明】
【技術分野】
【０００１】
この発明は、ストロボ発光用のストロボコンデンサを備えたカメラや撮像機能を有するＰＤＡ端末等の電子機器に適用される電源装置に関する。
【背景技術】
【０００２】
被写体に光を照射するためのストロボは、その発光に高圧の電力を必要とするため、このストロボを内蔵または接続可能なカメラでは、各部の動作用の電力からストロボ発光用の電力を生成するための昇圧回路と、この昇圧された電力を蓄積するためのストロボコンデンサとを備えている。また、このストロボコンデンサは、ユーザの要求に応じて即座にストロボを発光させることができるように、カメラの電源オン中は、常時、ほぼ満充電の状態に保たれるのが一般的である。つまり、多くのストロボコンデンサは、その使用有無に関わらずに、カメラの電源オン時には、その充電が速やかに開始され、また、ストロボを使った発光撮影後も、直ちに再充電されることになる。
【０００３】
一方、カメラが電源オフされた場合、このストロボコンデンサに蓄積された電力は、いずれ自然放電することになる。このようなことから、このストロボコンデンサに蓄積された電力を無駄に自然放電させることをなくすため、電源オフ時に、その電力を使ってバックアップコンデンサを充電するカメラも提案されている（例えば特許文献１参照）。
【特許文献１】特開２００２−２８７２１８号公報
【発明の開示】
【発明が解決しようとする課題】
【０００４】
ところで、コンパクトカメラなどと称されるカメラでは、いわゆる沈胴レンズを備えており、電源オフ時には、終了処理の一環として、レンズをカメラ本体内の沈胴位置まで戻すことを行っている。また、フォーカスレンズは、電源オフ時、初期位置に移動させることが行われる。
【０００５】
ここで、バッテリ駆動中のカメラが電源オフされた場合を考える。そして、この時のバッテリの状態が、前述の終了処理を完了させることができない程度のローバッテリ状態にあるものと想定する。このような場合、前述した特許文献１のカメラでは、ストロボコンデンサに蓄積された電力の有効活用は確かに図れるものの、正常な終了処理が行えないといったエラーの発生を防止することはできない。
【０００６】
また、この特許文献１のカメラでは、電源オフ後、直ちにストロボコンデンサに蓄積された電力がバックアップコンデンサの充電用に転用されるので、例えば誤って電源オフ操作を行ってしまったため、その直後に電源オン操作を行った場合であっても、ストロボを使った発光撮影をすぐには行えないといった問題が生じてしまう。
【０００７】
この発明は、このような事情を考慮してなされたものであり、ストロボコンデンサに蓄積された電力の電源オフ時における有効活用を適切に図ることを実現した電源装置を提供することを目的とする。
【課題を解決するための手段】
【０００８】
前述した目的を達成するために、この発明の電源装置は、各部に動作用の電力を供給する第１の電力供給手段と、前記第１の電力供給手段からの電力で充電されるストロボ発光用のストロボコンデンサと、前記ストロボコンデンサに蓄積された電力を降圧して各部に動作用の電力として供給する第２の電力供給手段と、通常時には、前記第１の電力供給手段から各部に電力が供給され、電源オフ時には、前記第２の電力供給手段から各部に電力が供給されるように選択を行うための選択手段とを具備することを特徴とする。
【０００９】
この発明の電源装置においては、電源オフ時、ストロボコンデンサに蓄積された電力が各部に動作用として供給されることになり、例えばローバッテリ状態にあっても、終了処理を確実に完了させることができる。
【００１０】
また、この発明の電源装置は、メモリの内容を保持するための繰り返し充放電可能なバックアップ電源と、ストロボ発光用のストロボコンデンサと、前記ストロボコンデンサに蓄積された電力を降圧して前記バックアップ電源に蓄積する充電手段と、電源オフが指示されてから所定時間が経過した後、前記バックアップ電源の充電を開始するように前記充電手段を制御する制御手段とを具備することを特徴とする。
【００１１】
この発明の電源装置においては、電源オフが指示されてから所定時間が経過した後、ストロボコンデンサに蓄積された電力をバックアップ電源の充電に転用し始めるので、電源オフ操作直後に電源オン操作を行った場合には、ストロボを使った発光撮影を即座に行うことが可能となる。
【発明の効果】
【００１２】
このように、この発明の電源装置によれば、ストロボコンデンサに蓄積された電力の電源オフ時における有効活用を適切に図ることを実現した電源装置を提供できる。
【発明を実施するための最良の形態】
【００１３】
以下、図面を参照してこの発明の実施形態を説明する。
【００１４】
（第１実施形態）
まず、この発明の第１実施形態について説明する。  
図１は、この発明の第１実施形態に係るカメラの機能ブロック図である。
【００１５】
このカメラは、被写体像をＣＣＤにより撮像して記録メディアに格納するバッテリ駆動可能なデジタルカメラであり、図１に示すように、制御部１０、操作スイッチ１１、電源部１２、鏡枠駆動部１３、撮像部１４、画像表示部１５、記録部１６、発光部１７、ストロボ用コンデンサ１８および昇圧／降圧回路１９を有している。
【００１６】
制御部１０は、このカメラ全体の動作制御を司り、ユーザによる操作スイッチ１１の操作に応じて各部を駆動制御する。制御部１０は、電源部１２からの電力供給を常時受けており、操作スイッチ１１により電源オンが指示されると、この電源部１２による各部に対する電力供給を開始させる。また、このカメラは、いわゆる沈胴レンズを備えるコンパクトタイプのカメラであり、この電源オン時、制御部１０は、電力供給を受け始めた鏡枠駆動部１３に対して、沈胴レンズを収納位置から使用位置に移動させる旨を指示する。
【００１７】
また、これとほぼ同時に、制御部１０は、このレンズを介して入力される被写体像を撮像するように撮像部１４を駆動制御するとともに、その撮像された被写体像を表示するように画像表示部１５を駆動制御する。この画像表示部１５は、例えばカメラ本体の筐体背面に配置されるＬＣＤであり、ユーザは、このＬＣＤをファインダとして利用することにより被写体像をリアルタイムに確認することができる。
【００１８】
操作スイッチ１１によりレリーズ操作が行われると、制御部１０は、その時に撮像部１４が撮像した被写体像の画像データを記録部１６に格納させる。この記録部１６に格納された被写体像は、操作スイッチ１１の操作に応じて、画像表示部１５に表示させることが可能である。
【００１９】
また、このカメラは、被写体像を照明するためのストロボを有しており、ユーザの明示的な設定に基づき、または、一定の条件下で自動的に、制御部１０は、操作スイッチ１１によるレリーズ操作時にストロボを発光させるように発光部１７を駆動制御する。この発光部１７によるストロボ発光には、電源部１２が各部に供給する電力よりも高い電圧の電力を必要とするので、このカメラでは、このストロボ発光用の電力（電荷）を蓄積するためのストロボ用コンデンサ１８と、電源部１２からの電力を昇圧するための昇圧／降圧回路１９が設けられ、制御部１０は、ストロボ発光を伴う撮影をいつでも速やかに行えるよう、このストロボ用コンデンサ１８を常時ほぼ満充電の状態に保つように制御する。
【００２０】
一方、操作スイッチ１１により電源オフが指示されると、制御部１０は、例えば沈胴レンズの収納位置への移動を鏡枠駆動部１３に指示したり、ＬＣＤの正規手順での停止を画像表示部１５に指示する等の終了処理を実行する。そして、制御部１０は、この電源オフ時に、（何らの手当もしなければいずれ自然放電してしまう）ストロボ用コンデンサ１８に蓄積された電荷による電力を無駄にすることなく、終了処理に利用すべく制御するための電源制御部１０１を有しており、以下、この電源制御部１０１の動作原理について説明する。
【００２１】
図２は、この電源制御部１０１の動作原理を説明するためのカメラの構成の一部を示す図である。なお、電池１０３による電力供給が第１の電力供給手段、ストロボ用コンデンサ１８による電力供給が第２の電力供給手段、ＡＣアダプタ１０２による電力供給が第３の電力供給手段にそれぞれ対応する。
【００２２】
このカメラは、ＡＣアダプタ１０２を介して外部電源を入力することができ、このＡＣアダプタ１０２により外部電源を入力可能な場合、電源制御部１０１は、カメラ内部に装着される電池１０３に代わって、この外部電源からの電力を使用するようにスイッチ１０４を制御する。そして、このスイッチ１０４により選択された側の電力が、このカメラ内の各部が動作するための電力を生成するＤＣ／ＤＣコンバータ（負荷）に供給されることになる。つまり、発光部１７を発光させるための電力を蓄積するストロボ用コンデンサ１８も、このスイッチ１０４により選択された側の電力によって充電される。
【００２３】
このスイッチ１０４により選択されたＡＣアダプタ１０２または電池１０３からの電力は、昇圧／降圧回路１９によって昇圧されることによってストロボ用コンデンサ１８に蓄積するための電圧に変換される。電源制御部１０１は、この昇圧／降圧回路１９に対する電力の供給または遮断をスイッチ１０５により選択し、昇圧／降圧回路１９を機能させるかどうかをスイッチ１０６により選択する。スイッチ１０５およびスイッチ１０６は、信号線ａおよび信号線ｂを介して制御される。
【００２４】
次に、電源オフが指示された際、前述した終了処理を行うための負荷側への電力供給をどのように制御するのかについて説明する。
【００２５】
もし、ＡＣアダプタ１０２を介して外部電源が入力されている場合、電源制御部１０１は、その外部電源を利用した負荷側への電力供給を継続する。一方、電池１０３からの電力により動作している場合には、その電池１０３の消耗を少しでも防ぐため、ストロボ用コンデンサ１８に蓄積された電力の負荷側への供給を実行する。この場合、電源制御部１０１は、スイッチ１０５をオフにし、スイッチ１０６をオンにする。そして、電源制御部１０１は、ストロボ用コンデンサ１８に残存する電力の電圧値に応じて、スイッチ１０７をオン／オフ制御する。その結果、昇圧／降圧回路１９に対する電池１０３からの電力供給が遮断され、かつ、ストロボ用コンデンサの電力がスイッチ１０７経由で昇圧／降圧回路１９に供給された状態で、昇圧／降圧回路１９が機能することになり、電源オン中の充電時とは逆に、ストロボ用コンデンサ１８からの電力が降圧される。この時、昇圧／降圧回路１９は、電池１０３からの電力よりも高い電圧値の電圧が出力されるように降圧を実行する。スイッチ１０７のオン／オフ制御は、信号線ｃを介して行われ、また、ストロボ用コンデンサ１８の電力（電荷）の電圧値は、信号線ｄを介して監視される。
【００２６】
この昇圧／降圧回路１９によって降圧されたストロボ用コンデンサ１８の電力は、選択部１０８に導かれる。また、この選択部１０８には、電池１０３からの電力も導かれており、この選択部１０８からは、この電池１０３とストロボ用コンデンサ１３の２つの電源のうちの電圧値の高い方の電源の電力が選択されて負荷側に出力されることになる。また、この時、電源制御部１０１は、信号線ｅを介して電池１０３の電力の電圧値を監視し、前述の信号線ｄを介して監視するストロボ用コンデンサ１８の電力の電圧値が電池１０３の電力の電圧値を下回った場合、この昇圧／降圧回路１９による降圧を停止させる。
【００２７】
図１４は、図２の選択部１０８の他の例（選択部１０８ｂ）を示す図であり、図２と同一の箇所は同じ符号を付している。図２の例においては、選択部１０８でダイオードを２つ使用して負荷側に供給する電源を選択しているが、図１４に示すように、２つのダイオードの代わりに２つのＰｃｈＦＥＴを使用し、電源制御部１０１で、ｆ信号の電圧が規定以上か否かを検出して、ＰｃｈＦＥＴを信号線ｋ，ｊにて制御するようにしてもよい。
【００２８】
これにより、電源オフ時、ストロボ用コンデンサ１８の電力の電圧値が電池１０３の電力の電力値を上回っている間は、このストロボ用コンデンサ１８の電力が降圧されて負荷側に供給され、この電力によって終了処理が実行されることになる。この終了処理で消費される電力の総量は、通常、ストロボ用コンデンサ１８に蓄積される電力の総量よりも小さいので、このストロボ用コンデンサ１８の電力のみで終了処理を完了でき、電池１０３の消耗を防ぐことができる。また、仮に発光撮影の直後に電源オフされたような場合であって、その終了処理が完了する前にストロボ用コンデンサ１８の電力の電圧値が電池１０３の電力の電圧値を下回った場合であっても、電池１０３の電力が引き続き負荷側に供給されるので、当該終了処理に悪影響を与えることもない。
【００２９】
図３は、電源制御部１０１の制御によって各信号がどのように推移するのかを示したタイミングチャートである。なお、ここでは、電池１０３の電力によってカメラが動作しているものとする。
【００３０】
電源オン中に発光撮影が行われると（図３の（１））、ストロボ用コンデンサ１８の電圧は０まで低下するが、その直後、電池１０３の電力によってほぼ満充電の状態になるまで充電される。この動作は、電源オン中、発光撮影が行われる度に繰り返される。
【００３１】
その後、電源オフが指示されると（図３の（２））、これに伴い、スイッチ１０５がオフ、スイッチ１０６がオンにそれぞれ切り替わり、スイッチ１０７のオン／オフによりストロボ用コンデンサ１８からの電力のパルス幅が調整される。このパルス幅の調整は、前述したように、ストロボ用コンデンサ１８の電力の電圧値に基づいて行われるものであるが、パルス幅を調整するのではなく、つまり出力される電圧のパルス幅は一定にして、その周波数を制御するようにしてもよい。
【００３２】
そして、ストロボ用コンデンサ１８の電圧が、電池１０３の電圧を下回ると（図３の（３））、スイッチ１０５がオン、スイッチ１０６がオフにそれぞれ復帰し、ストロボ用コンデンサ１８の電力の昇圧／降圧回路１９による降圧が停止する。
【００３３】
図４は、このカメラの電源オフ時の動作手順を示したフローチャートである。
【００３４】
電源がオフされると、このカメラは、終了動作を開始し（ステップＡ１）、ＡＣアダプタ１０２を介して外部電源が入力されていれば（ステップＡ２のＹＥＳ）、この外部電源からの電力供給を実行する（ステップＡ３）。一方、入力されていなければ（ステップＡ２のＮＯ）、ストロボ用コンデンサ１８の電圧が電池１０３の電圧を越えているかどうかを調べ（ステップＡ４）、越えていなければ（ステップＡ４のＮＯ）、電池１０３からの電力供給を実行する（ステップＡ５）。
【００３５】
そして、外部電源が入力されておらず、かつ、ストロボ用コンデンサ１８の電圧が電池１０３の電圧を越えていれば（ステップＡ４のＹＥＳ）、ストロボ用コンデンサ１８の電力の昇圧／降圧回路１９による降圧を実行する（ステップＡ６）。また、終了動作が実行中の間は（ステップＡ７のＮＯ）、ステップＡ２からの処理が繰り返され、当該終了動作が終了次第（ステップＡ７のＹＥＳ）、この処理を終了する。
【００３６】
ところで、以上では、ストロボ用コンデンサ１８の電力の電圧値が電池１０３の電力の電圧値を上回っている間だけ、昇圧／降圧回路１９を利用してストロボ用コンデンサ１８の電力を降圧する例を説明したが、この昇圧／降圧回路１９を利用すれば、ストロボ用コンデンサ１８の電力を昇圧することも可能である。つまり、ストロボ用コンデンサ１８の電力の電圧値が電池１０３の電力の電圧値を下回った後は、昇圧／降圧回路１９によりストロボ用コンデンサ１８の電力を昇圧することにより、ストロボ用コンデンサ１８の電力をほぼ使い切ることが可能である。
【００３７】
この場合、電源制御部１０１は、昇圧／降圧回路１９により昇圧されて選択部１０８に導かれる電力の電圧値を信号線ｄを介して監視し、この値が０Ｖになった時点で、昇圧／降圧回路１９による昇圧を停止する。
【００３８】
図５には、この場合のタイミングチャートが示されており、電源オフされた直後からストロボ用コンデンサ１８の電圧は下がり始め（図５の（１））、しばらくすると、電池１０３の電力の電圧値を下回る（図５の（２））。これ以降、昇圧／降圧回路１９では、それまでの降圧から昇圧が行われるようになる。そして、ストロボ用コンデンサ１８の電圧の電圧値がさらに低下して０になると（図５の（３））、昇圧／降圧回路１９による昇圧も停止し（図５の（３））、電池１０３からの供給に切り替わる。
【００３９】
図６は、この場合の電源オフ時の動作手順を示したフローチャートである。
【００４０】
このフローチャートと図４のフローチャートとの違いは、図４のフローチャートのステップＡ４およびステップＡ６に対応するステップＢ４およびステップＢ６であり、ストロボ用コンデンサ１８に電力が残存する間は（ステップＢ４のＮＯ）、ストロボ用コンデンサ１８の電力の昇圧／降圧回路１９による昇降圧を実行する（ステップＢ６）。
【００４１】
このように、この第１実施形態のカメラによれば、ストロボコンデンサに蓄積された電力の電源オフ時における有効活用が図ることができる。
【００４２】
（第２実施形態）
次に、この発明の第２実施形態について説明する。  
図７は、この発明の第２実施形態に係るカメラの機能ブロック図である。
【００４３】
この第２実施形態のカメラと前述した第１実施形態のカメラとの違いは、バックアップブロック２０が新設され、また、電源制御部１０１に代わってバックアップ充電制御部１５０が設けられた点にある。
【００４４】
このカメラは、例えばユーザが任意に設定する撮像条件等を保持するためのメモリが制御部１０に内蔵されており、バックアップブロック２０は、カメラの電源オフ中、このメモリの内容を保持するための電力を供給する。また、バックアップ充電制御部１５０は、前述の第１実施形態の電源制御部１０１と同様に、電源オン中におけるストロボ用コンデンサ１８の充電制御を行うとともに、電源オフ時に、このストロボ用コンデンサ１８に蓄積された電力を利用したバックアップブロック２０の充電制御を実行する。
【００４５】
図８は、このバックアップ充電制御部１５０の動作原理を説明するためのカメラの構成の一部を示す図である。
【００４６】
なお、ここでは、ＡＣアダプタを介した外部電源の入力は考えず、電源オン中における電力供給はすべて電池１０３から行われているものとする。また、ストロボ用コンデンサ１８を充電する場合のバックアップ充電制御部１５０の動作原理は、前述した第１実施形態の電源制御部１０１と同様であるので、ここでは、その説明を省略する。
【００４７】
電源オフが指示されると、バックアップ充電制御部１５０は、まず、その電源オフ状態のまま例えば２〜３秒等の所定時間が経過するのを待機する。もし、この所定時間経過前に電源オンが指示された場合、バックアップ充電制御部１５０は、ストロボ用コンデンサ１８に蓄積された電力をそのまま維持する。
【００４８】
一方、電源オンが指示されず、電源オフ状態のまま所定時間が経過した場合、バックアップ充電制御部１５０は、スイッチ１０５をオフにし、スイッチ１０６をオンにするとともに、ストロボ用コンデンサ１８に残存する電力の電圧値に応じて、スイッチ１０７をオン／オフ制御する。これにより、ストロボ用コンデンサ１８からの電力が降圧され、バックアップブロック２０に供給されることになる。
【００４９】
つまり、例えば誤って電源オフ操作を行ってしまった場合でも、その所定時間内に電源オン操作を行えば、ストロボを使った発光撮影をすぐに行うことが可能である。
【００５０】
図９は、バックアップ充電制御部１５０の制御によって各信号がどのように推移するのかを示したタイミングチャートである。
【００５１】
電源オン中に発光撮影が行われると（図９の（１））、ストロボ用コンデンサ１８の電圧は０まで低下するが、その直後、電池１０３の電力によってほぼ満充電の状態になるまで充電される。この動作は、電源オン中、発光撮影が行われる度に繰り返される。
【００５２】
その後、電源オフが指示されると（図９の（２））、所定時間経過後、スイッチ１０５がオフ、スイッチ１０６がオンにそれそれ切り替わり、スイッチ１０７のオン／オフによりストロボ用コンデンサ１８からの電力有無が調整される。なお、ここでは、電圧のパルス幅が一定の電力を各周期毎に出力するか否かの調整を行う例を図示しているが、第１実施形態に示したように、各出力毎にそのパルス幅を調整するようにしてもよい。
【００５３】
そして、バックアップブロック２０が満充電状態となるか、または、ストロボ用コンデンサ１８の電圧が０まで低下すると（図９の（３））、スイッチ１０５がオン、スイッチ１０６がオフにそれぞれ復帰し、ストロボ用コンデンサ１８の電力の昇圧／降圧回路１９による降圧または昇圧が停止する。なお、バックアップブロック２０が満充電状態となったかどうかは、信号線ｇを介して監視される。
【００５４】
図１０は、このカメラの電源オフ時の動作手順を示したフローチャートである。
【００５５】
電源がオフされると、このカメラは、そのまま、所定時間の経過を待機する（ステップＣ１）。もし、所定時間内に電源オンが指示されると（ステップＣ１のＮＯ，ステップＣ２のＹＥＳ）、ストロボ用コンデンサ１８の電力をそのまま維持したまま、この処理を終了する。
【００５６】
電源オフの状態で所定の時間が経過すると（ステップＣ１のＹＥＳ）、ストロボ用コンデンサ１８の電圧値が０かどうかを調べる（ステップＣ３）。０であれば（ステップＣ３のＹＥＳ）、さらに、電池１０３の電圧値がバックアップブロック２０の電圧値を下回っているかどうかを調べる（ステップＣ４）。そして、下回っていれば（ステップＣ４のＹＥＳ）、この電池１０３を使ったバックアップブロック２０の充電は行わず、そのままこの処理を終了する。一方、上回っていれば（ステップＣ４のＮＯ）、この電池１０３を使ったバックアップブロック２０の充電を行い（ステップＣ５）、バックアップブロック２０が満充電状態かどうかを調べる（ステップＣ６）。ここで、満充電状態でなければ（ステップＣ６のＮＯ）、ステップＣ４からの処理を繰り返し、また、満充電状態にまで達したら（ステップＣ６のＹＥＳ）、この処理を終了する。
【００５７】
一方、ストロボ用コンデンサ１８の電圧値が０でなければ（ステップＣ３のＮＯ）、バックアップブロック２０が満充電状態かどうかを調べ（ステップＣ７）、満充電状態でなければ（ステップＣ７のＮＯ）、ストロボ用コンデンサ１８の電力の昇圧／降圧回路１９による降圧または昇圧を実行する（ステップＣ８）。その後、ストロボ用コンデンサ１８の電圧値が０かどうかを再度調べて（ステップＣ９）、０であれば（ステップＣ９のＹＥＳ）、ステップＣ４に移行し、また、０でなければ（ステップＣ９のＮＯ）、ステップＣ７からの処理を繰り返す。さらに、バックアップブロック２０が満充電状態にまで達したら（ステップＣ７のＹＥＳ）、この処理を終了する。
【００５８】
ところで、以上では、バックアップ充電制御部１５０は、ストロボ用コンデンサ１８の電力が残存する間は、その電力を用いてバックアップブロック２０の充電を行う例を説明したが、昇圧／降圧回路１９には、ストロボ用コンデンサ１８の電力の降圧のみを行わせるように、つまり、ストロボ用コンデンサ１８の電力値がバックアップブロック２０の電圧値を下回った時点でその降圧を停止するように制御してもよい。
【００５９】
図１１には、この場合のタイミングチャートが示されており、電源オフが指示されてから所定時間が経過した後（図１１の（１），（２））、スイッチ１０５がオフ、スイッチ１０６がオンにそれそれ切り替わり、スイッチ１０７のオン／オフによりストロボ用コンデンサ１８からの電力有無が調整されることにより、昇圧／降圧回路１９によるストロボ用コンデンサ１８の電力の降圧が行われるが、ストロボ用コンデンサ１８の電力値がバックアップブロック２０の電圧値を下回ると（図１１の（３））、スイッチ１０５がオン、スイッチ１０６がオフにそれぞれ復帰し、ストロボ用コンデンサ１８の電力の昇圧／降圧回路１９による降圧が停止する。その結果、電池１０３によるバックアップブロック２０の充電に切り替わる。
【００６０】
図１２は、この場合の電源オフ時の動作手順を示したフローチャートである。
【００６１】
このフローチャートと図１０のフローチャートとの違いは、図１０のフローチャートのステップＣ３およびステップＣ８に対応するステップＤ３およびステップＤ８であり、ストロボ用コンデンサ１８の電圧値がバックアップブロック２０の電圧値を上回っている場合に限り（ステップＤ３のＮＯ）、ストロボ用コンデンサ１８の電力の昇圧／降圧回路１９による降圧を実行する（ステップＤ８）。
【００６２】
このように、この第２実施形態のカメラによれば、ストロボコンデンサに蓄積された電力の電源オフ時における有効活用が適切に図られることになる。
【００６３】
なお、バックアップ充電制御部１５０は、このストロボ用コンデンサ１８からの電力によるバックアップブロック２０の充電を、電源オフ時だけでなく、電源オフ中にバックアップブロック２０の電力が低下した場合に行うように制御してもよい。図１３は、この場合の動作手順をフローチャートである。
【００６４】
つまり、ストロボ用コンデンサ１８からの電力によりバックアップブロック２０が満充電状態となった後（ステップＥ７のＹＥＳ）、バックアップ充電制御部１５０は、充電待機状態としてバックアップブロック２０の状態を監視し続け（ステップＥ１０）、満充電状態から外れた場合に（ステップＥ１１のＮＯ）、ステップＥ８の処理に移行する。
【００６５】
これにより、ストロボコンデンサに蓄積された電力の有効活用がより一層図られることになる。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６７】
【図１】この発明の第１実施形態に係るカメラの機能ブロック図
【図２】同第１実施形態の電源制御部の動作原理を説明するためのカメラの構成の一部を示す図
【図３】同第１実施形態の電源制御部の制御によって各信号がどのように推移するのかを示したタイミングチャート
【図４】同第１実施形態のカメラの電源オフ時の動作手順を示したフローチャート
【図５】同第１実施形態の電源制御部の制御（変形例）によって各信号がどのように推移するのかを示したタイミングチャート
【図６】同第１実施形態のカメラの電源オフ時の動作手順（変形例）を示したフローチャート
【図７】同第２実施形態に係るカメラの機能ブロック図
【図８】同第２実施形態のバックアップ充電制御部の動作原理を説明するためのカメラの構成の一部を示す図
【図９】同第２実施形態のバックアップ充電制御部の制御によって各信号がどのように推移するのかを示したタイミングチャート
【図１０】同第２実施形態のカメラの電源オフ時の動作手順を示したフローチャート
【図１１】同第２実施形態のバックアップ充電制御部の制御（第１変形例）によって各信号がどのように推移するのかを示したタイミングチャート
【図１２】同第２実施形態のカメラの電源オフ時の動作手順（第１変形例）を示したフローチャート
【図１３】同第２実施形態のカメラの電源オフ時の動作手順（第２変形例）を示したフローチャート
【図１４】図２の選択部の他の例を示す図
【符号の説明】
【００６８】
１０…制御部、１１…操作スイッチ、１２…電源部、１３…鏡枠駆動部、１４…撮像部、１５…画像表示部、１６…記録部、１７…発光部、１８…ストロボ用コンデンサ、１９…昇圧／降圧回路、２０…バックアップブロック、１０１…電源制御部、１０２…ＡＣアダプタ、１０３…電池、１０４，１０５，１０６，１０７…スイッチ、１０８，１０８ｂ…選択部、１５０…バックアップ充電制御部、ａ〜ｇ，ｊ，ｋ…信号線。
【図１】
2005043664.tif 000003
【図２】
2005043664.tif 000004
【図３】
2005043664.tif 000005
【図４】
2005043664.tif 000006
【図５】
2005043664.tif 000007
【図６】
2005043664.tif 000008
【図７】
2005043664.tif 000009
【図８】
2005043664.tif 000010
【図９】
2005043664.tif 000011
【図１０】
2005043664.tif 000012
【図１１】
2005043664.tif 000013
【図１２】
2005043664.tif 000014
【図１３】
2005043664.tif 000015
【図１４】
2005043664.tif 000016